(57)【要約】【課題】  拡大５角形と拡大６角形による３２面体を用いることで形状設計を容易とし、多数の平板のピースを用いてより球体に近い多面球体を構成する球形パズルを提供する【解決手段】  ５角形のピースと５個の台形のピースとを互いに辺と辺とを嵌合してなる拡大５角形200を12個形成し、６角形のピースと６個の台形のピースとを互いに辺と辺とを嵌合してなる拡大６角形300を20個形成することにより、拡大５角形200と拡大６角形300とにより多面球体を構成すると共に拡大５角形200は中央の５角形を拡大６角形300は中央の６角形とすることにより２１２面体による球形状を形成する球体パズルとするものである。【選択図】    図１
2006334263.tif 000002
【特許請求の範囲】
【請求項１】
複数のピースを備え、前記ピースの各辺には、突起又は前記突起と同一の形状の窪みを嵌合部として有し、
前記突起と窪みを嵌合して組合せることにより、５角形の周囲に５個の台形を配置し、６角形の周囲に６個の台形を配置した拡大５角形及び拡大６角形による多面球体を構成することを特徴とする、球体パズル。
【請求項２】
前記ピースとしては、５角形のピースと６角形のピースと２種類の台形のピースであって、
前記５角形のピースとしては、全ての辺に突起を有したものを12個備え、
前記６角形のピースとしては、全ての辺に突起を有したものを20個備え、
前記台形のピースとしては、上辺と一方の斜辺に窪みを有し、他方の斜辺に突起を有し、底辺に突起と窪みを1個ずつ有したものであり、
60個の台形ピースは、側方の両斜辺の交差角を72度よりも僅かに小さくし、
120個の台形ピースは、側方の両斜辺の交差角を60度よりも僅かに小さくしたことを特徴とする、請求項１記載の球体パズル。
【請求項３】
前記拡大５角形は、台形のピースに囲まれる５角形のピースが僅かに盛り上がった５角錐台を形成し、また、前記拡大６角形は、台形のピースに囲まれる６角形のピースが僅かに盛り上がった６角錐台形状であることを特徴とする、請求項１又は２記載の球体パズル。
【発明の詳細な説明】
【技術分野】
【０００１】
本発明は、12個の５角錐台と20個の６角錐台からなる212面体による球体パズルに関する。
【背景技術】
【０００２】
今日、立体球形状のジグソーパズルとしては、同一形状のピースを複数個組合せて多面体を構成することで立体球形状とするものが多く用いられ、例えば特許文献１に記載されたものがある。
この球形パズルは、１種類の四角形状であって湾曲した曲面を形成するピースから構成され、このピースはその１組の対辺は突起を有し、他方の組の対辺はこの突起と嵌合する形状に欠切された窪みを有するピースである。また、このピースの辺は直線ではなく、突起若しくは窪みを境にして多少折れ曲がっていることを特徴とする。
そして、この４角形状のピースを、突起を有する辺と窪みを有する辺と連結して、複数枚組合せることで球体を構成するものである。
【特許文献１】実用新案登録３１０１２１４号公報
【発明の開示】
【発明が解決しようとする課題】
【０００３】
前述のように、ピースの種類が１種類のジグソーパズルは、ピースとピースの組合せが単調でパズルとしての面白味にかけるものであり、また、１種類のピースを組合せて球体を構成できる形状を設計することは困難であった。
そこで本発明は、拡大５角形と拡大６角形による３２面体を用いることで形状設計を容易とし、多数の平板のピースを用いてより球体に近い多面球体を構成する球形パズルを提供するものである。
【課題を解決するための手段】
【０００４】
請求項１記載の発明は、複数のピースを備え、前記ピースの各辺には、突起又は前記突起と同一の形状の窪みを嵌合部として有し、前記突起と窪みを嵌合して組合せることにより、５角形の周囲に５個の台形を配置し、６角形の周囲に６個の台形を配置した拡大５角形及び拡大６角形による多面球体を構成することを特徴とする。
【０００５】
請求項２記載の発明は、前記ピースとしては、５角形のピースと６角形のピースと２種類の台形のピースであって、前記５角形のピースとしては、全ての辺に突起を有したものを12個備え、前記６角形のピースとしては、全ての辺に突起を有したものを20個備え、前記台形のピースとしては、上辺と一方の斜辺に窪みを有し、他方の斜辺に突起を有し、底辺に突起と窪みを1個ずつ有したものであり、内60個は、側方の両斜辺の交差角を72度よりも僅かに小さくし、他の120個は、側方の両辺の交差角を60度よりも僅かに小さくしたことを特徴とする。
【０００６】
請求項３記載の発明は、前記拡大５角形は、台形のピースに囲まれる５角形のピースが盛り上がり、また、前記拡大６角形は、台形のピースに囲まれる６角形のピースが盛り上がることを特徴とする。
【発明の効果】
【０００７】
請求項１記載の発明によれば、形状設計を容易とし、多数の平板のピースを用いることで、より球体に近い多面球体を構成することができ、また、ピースの設計製造を容易とすることができる。
【０００８】
請求項２記載の発明によれば、台形のピースの設計製造をより一層容易とすることができる。
【０００９】
請求項３記載の発明によれば、拡大５角形や拡大６角形を中央部が僅かに膨らんだお椀状とすることで、多数のピースを用いているにもかかわらず、多面球体の組み立てを容易とすることができる。
【発明を実施するための最良の形態】
【００１０】
本発明の実施の形態は、５角形のピースと５個の台形のピースとを互いに辺と辺とを嵌合してなる拡大５角形を12個形成し、６角形のピースと６個の台形のピースとを互いに辺と辺とを嵌合してなる拡大６角形を20個形成することにより、拡大５角形と拡大６角形とにより多面球体を構成すると共に拡大５角形は中央の５角形を拡大６角形は中央の６角形とすることにより２１２面体による球形状を形成する球体パズルとするものである。
【実施例】
【００１１】
本発明に係るパズル本体100は、図１に示すように、５角形のピースと台形のピースからなる、同一の長さの辺を有する５角錐台である拡大５角形200と、６角形のピースと台形のピースからなる、同一の長さの辺を有する６角錐台である拡大６角形300とから構成され、拡大５角形及び拡大６角形300の外周の辺に窪みと係合片としての突起を１つずつ有する、拡大５角形200の12個と、拡大６角形300の20個とからなる多面球体とされるパズル本体100である。
【００１２】
この拡大５角形200は、図２に示すように、１個の５角ピース210と５個の台形とされる５角補助ピース220とで構成するものであって、全ての辺に嵌合部としての突起211を有する５角ピース210を中心に、この５角ピース210の各辺と台形とされる５角補助ピース220の上辺を嵌合部により結合するものである。
この台形のピースは、５角ピース210の辺と同じ長さの上辺を有する等脚台形とされるものであり、この上辺と一方の斜辺に嵌合部としての窪み223を有し、他方の斜辺に嵌合部としての突起221を有し、底辺に嵌合部としての突起221と窪み223を１個ずつ有したものである。また、この５角補助ピース220は、図３に示すように、側方の両斜辺の交差角を72度よりも僅かに小さくするものであり、68度から72度の範囲において適した角度とするものである。
【００１３】
この突起211及び221はその先端が膨出するものとされ、窪み223と嵌合することができるものであり、５角ピース210と５角補助ピース220は、図４に示すように、５角ピース210の各辺の突起211と５角補助ピース220の上辺の窪み223を各々嵌合し、また、５角補助ピースの斜辺に突設した突起221と隣接する５角補助ピースの窪み223とを嵌合することで、５角ピース210の周囲に５個の５角補助ピース220を配設した拡大５角形200を形成することができるようにしているものである。
【００１４】
そして、５角補助ピース220の両斜辺の交差角を72度よりも僅かに小さくしたことは前述の通りであり、これにより拡大５角形200は、図５に示すように、中央に位置する５角ピース210が盛り上がり、お椀状とすることができる。
したがって、拡大５角形200を用いることで、平板の５角形のピースを用いるよりもより球体の一部分に近い部材とすることができる。
このようにして構成される拡大５角形200は、全ての辺に窪みを有し、また、全ての辺に外方へ突出形成される突起を係合片として有している。
【００１５】
また、拡大６角形300は、図２に示したように、１個の６角ピース310と６個の台形とされる６角補助ピース320とで構成するものであって、全ての辺に嵌合部としての突起311を有する６角ピース310を中心に、６角ピース310の各辺と台形とされる６角補助ピース320の上辺を嵌合部により結合するものである。
この台形のピースは、６角ピース310の辺と同じ長さの上辺を有する等脚台形とされるものであり、この上辺と一方の斜辺に嵌合部としての窪み323を有し、他方の斜辺に嵌合部としての突起321を有し、底辺に嵌合部としての突起321と窪み323を1個ずつ有したものである。また、この６角補助ピース320は、図３に示したように、側方の両斜辺の交差角を60度よりも僅かに小さくするものであり、55度から60度の範囲において適した角度とするものとであり、また、６角補助ピース320の底辺長は５角補助ピース220の底辺長と等しいものとする。
【００１６】
この突起311及び321はその先端が膨出するものとされ、窪み323と嵌合することができるものであり、６角ピース310と６角補助ピース320は、６角ピース310の各辺の突起と６角補助ピース320の窪みを嵌合し、また、図４に示すように、６角補助ピース320の斜辺に突設した突起321と隣接する６角補助ピース320の上辺の窪み323とを各々嵌合することで、６角ピース310の周囲に６個の６角補助ピース320を配設した拡大６角形300とすることができるようにしているものである。
【００１７】
そして、６角補助ピース320の両斜辺の交差角を60度よりも僅かに小さくしたことは前述の通りであり、これにより拡大６角形300は、図６に示すように、中央に位置する６角ピース310が盛り上がり、お椀状とすることができる。
したがって、平板の６角形のピースを用いるよりも、より球体の一部分に近い部材とすることができる。
このようにして構成される拡大６角形300は、全ての辺に窪み323を有し、また、全ての辺に外方へ突出形成される突起321を係合片として有している。
【００１８】
なお、拡大５角形200の辺と拡大６角形300の辺の長さは等しいものとされ、その辺の突起321と窪み323を同じとされ、互いに嵌合させることができるものとされる。
また、５角ピース210や５角補助ピース220、６角補助ピース320、６角ピース310の各突起と窪みの形成位置を交換するものとしても良い。
【００１９】
次に、球体パズルの組み立て方について説明する。
まず５角ピース210の各辺に５角補助ピース220を配置した拡大５角形200を12個組合せ、これと同様に６角ピース310の各辺に６角補助ピース320を配置した拡大６角形300を20個組合せる。
そして、図７に示すように、拡大５角形200の辺と拡大６角形300の辺とをあわせ、突起と窪みを各々嵌合させることで拡大５角形200と拡大６角形300とを連結し、拡大５角形200の周囲に５個の拡大６角形300を配設することができる。
また、隣接する拡大６角形300同士は、隣接する辺の突起211と窪み223とを嵌合することで、拡大６角形300同士を連結することができる。
【００２０】
そして、隣接する２つの拡大６角形300の間に拡大５角形200を配設する。このとき、拡大６角形300の隣接する２辺と、拡大５角形200の２辺とを合わせて、各々その窪みと突起とを嵌合させることで、拡大６角形300の外側に拡大５角形200を配設することができる。
【００２１】
そして、２つの拡大５角形200と１つの拡大６角形300との間の位置に、拡大６角形300を配設する。このとき、この２つの拡大５角形200の２辺と拡大６角形300の１辺の突起と窪みと、拡大６角形300の３辺の突起321と窪み323とを嵌合させて、拡大５角形200の外側に５個の拡大６角形300を配設することができる。
これにより、６個の拡大５角形200と10個の拡大６角形300とによる半球を構成することができる。
【００２２】
そして、この半球に残りの拡大５角形200と拡大６角形300とを、辺と辺とを嵌合させて連結していくことで、図１に示したように、12個の拡大５角形200と20個の拡大６角形300とから構成される多面球体、つまり、２１２面体を組み立てることができる。
このように、面の数が212面と、一般の多面体よりも面の数が多いことからより曲面に近づけることができ、より球体に近い多面体とすることができる。
【００２３】
また、各ピースの表面に絵柄を施すことで、ピースとピースとの絵柄の連続性を考えながらパズルを組立てる必要があり、遊戯者が特定のピースとピースを組み合わせを考えながらパズルで遊ぶことができ、より一層パズル性を増すことができる。
尚、組立て方法は、先ず拡大５角形の12個と拡大６角形の20個を組立てる場合に限ることなく、１個の拡大５角形200又は拡大６角形300に適宜５角ピース210や５角補助ピース220、６角補助ピース320、６角ピース310を結合していくこともある。
【００２４】
次に、ピースの製造方法について説明する。
まずは拡大５角形200のピースの製造方法であるが、図８に示すように、５角ピース210を切り出すためのカッター401,405を配列し、その周囲に５角ピース210と干渉しない程度の距離を離して５角補助ピース220を切り出すためのカッター401、405、410を配列する。このカッターの歯の長さは、実際のピースの辺の長さよりも長いものであり、山形形状とされ、２辺に各々嵌合部を形成する為の変形部を備えたカッター401と直線上の中央に１個の変形部を備えてカッター405、及び直線上の２箇所に逆方向への変形部を備えたカッター410を用いるものである。
このように、ピースの各辺よりも長いカッター401,405,410を用いるため、全てのカッターを同時にシートに切り込もうとすると、隣接する歯と歯が干渉してしまう。
【００２５】
ここで、カッターが互いに干渉しないようにシートに切り込むために、２段階に分けて切り込みを行うこととする。具体的には、図９に示すように、５角ピース210の１組の隣接する２辺を形成する１個のカッター401とこの２辺と隣り合わない１辺を切り出すためのカッター405、５角補助ピース220の上辺を切り出すためのカッター405、及び底辺を切り出すためのカッター410を配列した第１カッター群と、５角ピース210の隣り合わない２辺と５角補助ピース220の両斜辺を切り出すためのカッター405を配列した第２カッター群とに分けて、シートの切込みを行う。
このように２つのカッター群によりシートを切り込むことで、図２に示したように拡大５角形200のピースを切り出すことができる。
【００２６】
次に拡大６角形300のピースの製造方法であるが、図８に示したように、６角ピース310を切り出すためのカッター405を配列し、その周囲に６角ピース310と干渉しない程度の距離を離して６角補助ピース320を切り出すためのカッター405、410を配列する。
このように、ピースの各辺よりも長いカッター405,410を用いるため、全てのカッターを同時にシートに切り込もうとすると、隣接する歯と歯が干渉してしまう。
【００２７】
ここで、カッター405、410が互いに干渉しないようにシートに切り込むために、２段階に分けて切り込みを行うこととする。具体的には、図１０に示すように、６角ピース310の１辺を切り出すためのカッター405、６角補助ピース320の上辺を切り出すためのカッター405、及び底辺を切り出すためのカッター410を配列した第１カッター群と、６角ピース310の隣り合わない２辺と６角補助ピース320の両斜辺を切り出すためのカッター405を配列した第２カッター群とに分けて、シートの切込みを行う。
このように２つのカッター群によりシートを切り込むことで、図２に示したように拡大６角形300のピースを切り出すことができる。
【図面の簡単な説明】
【００２８】
【図１】本発明に係る球形パズルの外観図である。
【図２】本発明に係る球形パズルのピースの構造を示した側面図である。
【図３】本発明に係る球形パズルのピースの形状を示した平面図である。
【図４】本発明に係る球形パズルのピースの組み合わせについて示した平面図である。
【図５】本発明に係る球形パズルの拡大５角形の構造を示した側面図である。
【図６】本発明に係る球形パズルの拡大６角形の構造を示した側面図である。
【図７】本発明に係る球形パズルの組立方法を示した平面図である。
【図８】本発明に係る球形パズルのピースのカッターの配列図である。
【図９】本発明に係る球形パズルの拡大５角形のピースのカッターの配列図である。
【図１０】本発明に係る球形パズルの拡大６角形のピースのカッターの配列図である。
【符号の説明】
【００２９】
100    パズル本体
200    拡大５角形
210    ５角ピース        211    突起
220    ５角補助ピース    221    突起
223    窪み
300    拡大６角形
310    ６角ピース        311    突起
320    ６角補助ピース    321    突起
323    窪み
401    カッター          405    カッター
410    カッター
【図１】
2006334263.tif 000003
【図２】
2006334263.tif 000004
【図３】
2006334263.tif 000005
【図４】
2006334263.tif 000006
【図５】
2006334263.tif 000007
【図６】
2006334263.tif 000008
【図７】
2006334263.tif 000009
【図８】
2006334263.tif 000010
【図９】
2006334263.tif 000011
【図１０】
2006334263.tif 000012